(57)【特許請求の範囲】
【請求項１】
浴室の天井面と、浴室の壁面と、前記浴室の天井面と壁面との間の天井入隅部に取り付けられた浴室天井廻り縁部材と、を有する天井入隅部の接続構造において、
前記浴室天井廻り縁部材が、前記浴室の壁面に配置された第１面と、浴室の天井面に配置された第２面と、前記第１面及び第２面の間の稜線部と、を有し、且つ全体的に可撓性を有する本体と、前記第１面の端部のうち前記稜線部とは反対側の端部から突設された可撓性の第１突起部と、前記第２面の端部のうち前記稜線部とは反対側の端部から突設された可撓性の第２突起部と、を有し、前記第１面及び第２面が、前記第１突起部及び第２突起部を除いて全体的に平坦状に形成されており、
前記浴室天井廻り縁部材の第１面が、粘着テープ及び接着剤の少なくとも何れか一方を介して前記壁面に接着され、且つ、前記浴室天井廻り縁部材の第２面が、接着処理なしで直接的に前記天井面に密着されている、天井入隅部の接続構造。
【請求項２】
前記第１突起部の側面が前記第２面とは反対側の第４面と連続した平坦状に形成されている、請求項１に記載の天井入隅部の接続構造。
【請求項３】
前記稜線部を含む前記第１面と第２面の交わり部分が角取りされている、請求項１または２に記載の天井入隅部の接続構造。
【請求項４】
前記本体と第１突起部及び第２突起部とが一体的に形成されている、請求項１乃至３のいずれか一項に記載の天井入隅部の接続構造。
【請求項５】
浴室の壁面に配置される第１面と浴室の天井面に配置される第２面と前記第１面及び第２面の間の稜線部とを有し且つ全体的に可撓性を有する本体と、前記第１面の端部のうち前記稜線部とは反対側の端部から突設された可撓性の第１突起部と、前記第２面の端部のうち前記稜線部とは反対側の端部から突設された可撓性の第２突起部と、を有し、前記第１面及び第２面が前記第１突起部及び第２突起部を除いて全体的に平坦状に形成されている浴室天井廻り縁部材を用い、
前記浴室天井廻り縁部材の第２面を浴室の天井面に向け、接着処理を行うことなく第２突起部を天井面に当てつつ第２面を天井面に密着させ、第１面を粘着テープ又は接着剤を用いて浴室の壁面に接着する、浴室天井廻り縁部材の施工方法。
【発明の詳細な説明】
【技術分野】
【０００１】
本発明は、浴室の天井面と壁面との間の天井入隅部の接続構造などに関する。
【背景技術】
【０００２】
近年、浴室の補修や改築（以下、改修という）が盛んに行われるようになってきている。例えば、浴槽の入れ替えと共に浴室の天井面及び壁面にシートやパネルなどを貼り付けるような、浴室の改修が盛んに行われている。
特許文献１には、浴室の天井パネルと水平片の間に形成された凹入部に、弾性シール片を有する天井廻り縁部材が挿入されて構成された浴室の壁及び天井の接続構造が開示されている。かかる天井回り縁部材は、いわゆるユニットバスと呼ばれる浴室の、天井面と壁面の間の部分である天井入隅部に取り付けられるものである。
特許文献１の天井回り縁部材は、特定の構造の凹入部には適合するが、それ以外の構造の凹入部には使用できないので、浴室の改修の際、シートやパネルを貼り付けた後にそれを再び使用できるとは限らない。浴室の改修時に天井廻り縁部材を取り付けられない場合、パネルやシートを貼り付けた後、天井入隅部をコーキング剤などを用いて防水処理しなければならない。しかし、前記コーキング剤を用いた防水処理は、マスキングテープを天井面及び壁面にそれぞれ貼着し、各マスキングテープの間にコーキング剤を塗布し且つその表面をヘラで平滑にし、コーキング剤が硬化した後に、マスキングテープを剥がすという手間の掛かる作業である。このように、コーキング剤による防水処理は、作業工程が多く、施工に時間を要し、また、仕上がりの良し悪しは作業者の技量に強く依拠することとなる。
【０００３】
また、浴室の天井入隅部は、必ずしも直角とは限らず、９０度よりも若干大きい角度（つまり、鈍角）又は若干小さい角度（つまり、鋭角）を成していることが多く、さらには、直角な部分、鈍角な部分及び鋭角な部分が無秩序に存在している場合もある。このような不陸が存在する天井入隅部に樹脂発泡体の挿入やコーキング剤を塗工する場合、その施工がより困難となるので、良好な外観に仕上げるには、作業者の高度な技量がより一層必要となり、また施工時間も増加することとなる。そのため、簡易且つ汎用的に使用できる浴室天井廻り縁部材が求められている。
【先行技術文献】
【特許文献】
【０００４】
【特許文献１】実公昭６３−０３９３２４号公報
【発明の概要】
【発明が解決しようとする課題】
【０００５】
本発明の目的は、比較的簡易な構造の浴室天井廻り縁部材を用い、汎用性に優れ、容易に施工でき、仕上げ外観も良好な天井入隅部の接続構造及び浴室天井廻り縁部材の施工方法を提供することである。
【課題を解決するための手段】
【０００６】
本発明の天井入隅部の接続構造は、浴室の天井面と、浴室の壁面と、前記浴室の天井面と壁面との間の天井入隅部に取り付けられた浴室天井廻り縁部材と、を有する天井入隅部の接続構造において、前記浴室天井廻り縁部材が、前記浴室の壁面に配置された第１面と、浴室の天井面に配置された第２面と、前記第１面及び第２面の間の稜線部と、を有し、且つ全体的に可撓性を有する本体と、前記第１面の端部のうち前記稜線部とは反対側の端部から突設された可撓性の第１突起部と、前記第２面の端部のうち前記稜線部とは反対側の端部から突設された可撓性の第２突起部と、を有し、前記第１面及び第２面が、前記第１突起部及び第２突起部を除いて全体的に平坦状に形成されており、前記浴室天井廻り縁部材の第１面が、粘着テープ及び接着剤の少なくとも何れか一方を介して前記壁面に接着され、且つ、前記浴室天井廻り縁部材の第２面が、接着処理なしで直接的に前記天井面に密着されている。
【０００７】
本発明の好ましい天井入隅部の接続構造は、前記第１突起部の側面が前記第４面と連続した平坦状に形成されている。
本発明の好ましい天井入隅部の接続構造は、前記稜線部を含む前記第１面と第２面の交わり部分が角取りされている。
本発明の好ましい天井入隅部の接続構造は、前記本体と第１突起部及び第２突起部とが一体的に形成されている。
【０００８】
本発明の別の局面によれば浴室天井廻り縁部材の施工方法を提供する。
この浴室天井廻り縁部材の施工方法は、浴室の壁面に配置される第１面と浴室の天井面に配置される第２面と前記第１面及び第２面の間の稜線部とを有し且つ全体的に可撓性を有する本体と、前記第１面の端部のうち前記稜線部とは反対側の端部から突設された可撓性の第１突起部と、前記第２面の端部のうち前記稜線部とは反対側の端部から突設された可撓性の第２突起部と、を有し、前記第１面及び第２面が前記第１突起部及び第２突起部を除いて全体的に平坦状に形成されている浴室天井廻り縁部材を用い、前記浴室天井廻り縁部材の第２面を浴室の天井面に向け、接着処理を行うことなく第２突起部を天井面に当てつつ第２面を天井面に密着させ、第１面を粘着テープ又は接着剤を用いて浴室の壁面に接着する。
【発明の効果】
【０００９】
本発明の浴室天井廻り縁部材は、比較的簡易な構造であり、浴室の天井入隅部に容易に施工できる。また、本発明の浴室天井廻り縁部材は、壁面及び天井面に沿わせて取り付ける構造であるため、汎用性に優れ、さらに、可撓性を有する第１突起部及び第２突起部が適宜変形して壁面及び天井面の不陸を吸収するので、これを用いた天井入隅部の接続構造は、天井入隅部に水分や水蒸気が侵入することを防止できる。
【図面の簡単な説明】
【００１０】
【図１】本発明の第１実施形態に係る浴室天井廻り縁部材を上側正面から見た斜視図。
【図２】図１の矢印ＩＩ側（長手方向一方側）から見た平面図。
【図３】（ａ）は、図１のＩＩＩ−ＩＩＩ線で切断した断面図、（ｂ）は、壁面及び天井面と浴室天井廻り縁部材との関係を説明するための参考断面図。
【図４】本発明の浴室天井廻り縁部材を天井入隅部に貼り付けた状態を示す参考斜視図。
【図５】図４のＶ−Ｖ線で切断した断面図。
【図６】第２実施形態に係る浴室天井廻り縁部材を長手方向一方側から見た平面図。
【図７】第３実施形態に係る浴室天井廻り縁部材を長手方向一方側から見た平面図。
【図８】第４実施形態に係る浴室天井廻り縁部材を長手方向一方側から見た平面図。
【発明を実施するための形態】
【００１１】
以下、本発明について図面を参照しつつ説明する。
なお、本明細書において、第１、第２という序数詞を用語に付加する場合があるが、この序数詞は、用語を区別するために用いられているものであって、順序や優劣などの特別な意味を有さない。
本明細書において、「ＰＰＰ〜ＱＱＱ」という記載は、「ＰＰＰ以上ＱＱＱ以下」を意味する。
【００１２】
［第１実施形態］
本発明の浴室天井廻り縁部材は、浴室の天井面と壁面との間の天井入隅部に取り付けられる建築用部材である。
図１乃至図３（ａ）において、浴室天井廻り縁部材１は、全体として一方向に延びる長尺状である。前記長尺状は、一方向における長さが他方向（一方向と直交する方向）における長さよりも十分に長い形状をいう。前記長尺状の浴室天井廻り縁部材１は、例えば、その一方向における長さが１００ｃｍ以上であり、好ましくは２００ｃｍ以上である。長尺状の浴室天井廻り縁部材１は、施工に際して適切な長さに切断して使用される。
前記浴室天井廻り縁部材１は、浴室の壁面に配置される第１面２１及び浴室の天井面に配置される第２面２２を有する可撓性の本体２と、前記本体２の第１面２１の端部から突設された可撓性の第１突起部３１と、前記本体２の第２面２２の端部から突設された可撓性の第２突起部３２と、を有する。
前記浴室天井廻り縁部材１は、全体的に可撓性を有する。長尺状の可撓性を有する浴室天井廻り縁部材１は、例えば、一方向の長さが５ｍ〜１０ｍ程度に形成され、これをロールに巻いた状態で、収納及び搬送することができるので、作業性に優れる。
なお、浴室天井廻り縁部材１は一方向に延びる長尺状であるため、前記本体２、第１突起部３１及び第２突起部３２も同様に、それぞれ一方向に延びている。従って、前記浴室天井廻り縁部材１は、長手方向の何れの箇所で切断しても同じ断面形状であり、その断面形状は、図２に示す平面形状と同じである。
【００１３】
前記浴室天井廻り縁部材１は、可撓性を有する材料から形成されている。ここで、可撓性は、作業者の人力で容易に変形させることができる程度に柔軟な性質をいう。浴室天井廻り縁部材１が可撓性を有することによって、前記本体２を長手方向に撓ませつつ、第１突起部３１を浴室の壁面に沿わせ且つ第２突起部３２を浴室の天井面に沿わせることができる。好ましくは、前記浴室天井廻り縁部材１は、応力を加えて撓ませた後、その応力を解除すると元の状態にほぼ復元する弾性を有する。浴室天井廻り縁部材１がこのような弾性を有することによって、第１突起部３１及び第２突起部３２が、浴室の壁面及び天井面に良好に密着するようになる。さらに、本発明の浴室天井廻り縁部材は、一方向を周方向としてロール状に巻き付け可能な程度の可撓性を有することが望ましい。ロール状に巻きつけられる程度に柔軟であれば、前述のようにロールに巻いた状態で収納或いは搬送でき、作業性に優れる上、天井面や壁面の不陸に沿わせる作業を容易に行える。
例えば、前記浴室天井廻り縁部材１の硬度は、５０〜１００であり、好ましくは、６０〜９０であり、より好ましくは、７５〜８５である。前記硬度が小さすぎると、浴室天井廻り縁部材１を取り扱い難くなり、硬度が大きすぎると、浴室天井廻り縁部材１が変形し難くなるおそれがある。ただし、前記硬度は、ＪＩＳ  Ｋ  ６２５３に準じて、デュロメータタイプＡによって測定される値をいう。
【００１４】
前記浴室天井廻り縁部材１は、可撓性を有していればその材質は特に限定されない。例えば、前記浴室天井廻り縁部材１は、エラストマー、ゴムなどを用いて形成される。
前記エラストマーとしては、ポリスチレン系熱可塑性エラストマー、ポリオレフィン系熱可塑性エラストマー、ポリエステル系熱可塑性エラストマー、ポリ塩化ビニル系熱可塑性エラストマー、ポリウレタン系熱可塑性エラストマー、ポリアミド系熱可塑性エラストマーなどが挙げられる。
【００１５】
前記ポリスチレン系熱可塑性エラストマーとしては、例えば、ポリスチレン−ポリブチレン−ポリスチレン（ＳＢＳ）、ポリスチレン−ポリ（エチレン／ブチレン）−ポリスチレン（ＳＥＢＳ）などのスチレン−ブタジエン系共重合体；ポリスチレン−ポリイソプレン−ポリスチレン（ＳＩＳ）などのスチレン−イソプレン共重合体；ポリスチレン−ポリ（エチレン／プロピレン）（ＳＥＰ）、ポリスチレン−ポリ（エチレン／プロピレン）−ポリスチレン（ＳＥＰＳ）、ポリスチレン−ポリ（エチレン−エチレン／プロピレン）−ポリスチレン（ＳＥＥＰＳ）などのスチレン−プロピレン系共重合体；などが挙げられる。前記ポリスチレン系熱可塑性エラストマーとして、市販品を用いてもよく、その市販品としては、例えば、（株）クラレ製の商品名「セプトン」、三菱化学（株）製の商品名「ラバロン」などが挙げられる。
【００１６】
前記ポリオレフィン系熱可塑性エラストマーとしては、例えば、プロピレンブロック共重合体、エチレン−プロピレン共重合体、プロピレン−１−ヘキセン共重合体、プロピレン−４−メチル−１ペンテン共重合体、エチレン−メタクリル酸共重合体、エチレン−メタクリル酸メチル共重合体、エチレン−メチルアクリレート共重合体、エチレン−エチルアクリレート共重合体、プロピレン−メタクリル酸共重合体などが挙げられる。前記ポリオレフィン系熱可塑性エラストマーとして、市販品を用いてもよく、その市販品としては、例えば、三菱化学（株）製の商品名「サーモラン」、三井化学（株）製の商品名「ミラストマー」などが挙げられる。
【００１７】
前記ポリエステル系熱可塑性エラストマーとしては、例えば、ハードセグメントがポリエチレンテレフタレート、プリブチレンテレフタレート、ポリメチレンテレフタレート、ポリエチレンナフタレート及びポリブチレンナフタレートなどから選ばれる少なくとも１種からなり、且つ、ソフトセグメントが脂肪族ポリエステル及び脂肪族ポリエーテルから選ばれる少なくとも１種からなるものなどが挙げられる。前記ポリエステル系熱可塑性エラストマーとして、市販品を用いてもよく、その市販品としては、例えば、東レ（株）製の商品名「ハイトレル」、東洋紡（株）製の商品名「ペルプレン」などが挙げられる。
【００１８】
前記ポリ塩化ビニル系熱可塑性エラストマーとしては、例えば、ハードセグメントが高分子量ポリ塩化ビニルからなり、且つ、ソフトセグメントが可塑化ポリ塩化ビニル（可塑剤で可塑化されたＰＶＣ）からなるもの；ハードセグメントが部分架橋又は分岐構造を導入したポリ塩化ビニルからなり、且つ、ソフトセグメントが可塑化ポリ塩化ビニルからなるもの；などが挙げられる。
【００１９】
前記ポリウレタン系熱可塑性エラストマーとしては、例えば、トリレンジイソシアネート−ポリエステル系ポリオール共重合体、トリレンジイソシアネート−ポリエーテル系ポリオール共重合体、トリレンジイソシアネート−カプロラクトン系ポリオール共重合体、トリレンジイソシアネート−ポリカーボネート系ポリオール共重合体、４，４’−ジフェニルメタンジイソシアネート−ポリエステル系ポリオール共重合体、４，４’−ジフェニルメタンジイソシアネート−ポリエーテル系ポリオール共重合体などが挙げられる。前記ポリウレタン系熱可塑性エラストマーとして、市販品を用いてもよく、その市販品としては、例えば、日本ミラクトラン（株）製の商品名「ミラクトラン」などが挙げられる。
【００２０】
前記ポリアミド系熱可塑性エラストマーとしては、ハードセグメントがナイロン１２などのポリアミドからなり、且つ、ソフトセグメントがポリエーテルからなるものなどが挙げられる。前記ポリアミド系熱可塑性エラストマーとして、市販品を用いてもよく、その市販品としては、例えば、宇部興産（株）製の商品などが挙げられる。
前記ゴムとしては、例えば、ブタジエンゴム、天然ゴム、イソプレンゴム、スチレンブタジエンゴム、エチレン−プロピレン−ジエンゴム（ＥＰＤＭ）などが挙げられる。
前記長尺状の浴室天井廻り縁部材１は、前記エラストマーなどを耐圧金型から押し出し成形することにより得ることができる。
【００２１】
本体２は、施工時に浴室の壁面に配置される第１面２１と、施工時に浴室の天井面に配置される第２面２２と、前記第１面２１と第２面２２の間に形成され、施工時に浴室の天井入隅部に配置される稜線部４と、を有する。好ましくは、浴室天井廻り縁部材１は、施工時に、本体２の第１面２１を壁面に接着し、且つ本体２の第２面２２を天井面に、接着剤や粘着テープなどによる接着を行うことなく、密着させることにより、浴室の天井入隅部に取り付けられる。なお、前記接着は、広義にはくっつけることを意味するが、本発明においては、部材が壁面などの面に固着された状態が長期間安定的に維持されることをいい、前記密着は、接しているが、接着していない状態をいう。前記接着は、代表的には、接着剤又は粘着剤による接着、或いは、粘着テープを介して取り付ける接着が挙げられる。
前記第１面２１及び第２面２２は、第１突起部３１及び第２突起部３２を除いて、それぞれ平坦状に形成されていることが好ましい。第１面２１が平坦状に形成されていることにより、壁面９１との接着面積が大きくなり、浴室天井廻り縁部材１を強固に取り付けることができる。第２面２２が平坦状に形成されていることにより、天井面９２との接触面積が大きくなり、水分や水蒸気の浸入を効果的に防止することができる。
前記本体２の第１面２１とは反対側の第３面２３、及び、本体２の第２面２２とは反対側の第４面２４は、いずれも、施工時に外部に露出する面である。第３面２３及び第４面２４は、平坦状でもよいし、曲面状でもよい。第３面２３の一方の端部（第３面２３の両端部のうち第２面側の端部）には、第１面２１と反対側に突設された延出部５が形成されている。
【００２２】
前記延出部５は、先端に向かうに従って次第に幅狭となった断面視略三角形状に形成されている。前記延出部５は、好ましくは、先端部が鋭角を成し、より好ましくは、先端部が２０度〜５０度を成すように、鳥の嘴の如くの形状に形成されている。このような断面視略三角形状の延出部５は、容易に変形するので、第２突起部３２が天井面に密着し易くなる。
また、延出部５の基部５ａは、第３面２３に対して曲面状又は鈍角な傾斜面状とされており、従って、延出部５は曲面又は傾斜面を成して第３面２３に連設されている。なお、図示例では、延出部５の基部５ａは、第３面２３に対して曲面状とされている。
延出部５の突出高さ５Ｈは、特に限定されないが、余りに小さすぎると、延出部５が撓みにくく、第２突起部３２が天井面の不陸に追従し難くなるおそれがあり、余りに大きすぎると、相対的に第２面２２の幅が大きくなる。かかる観点から、延出部５の突出高さ５Ｈは、０．５ｍｍ〜３ｍｍが好ましく、０．７ｍｍ〜２．５ｍｍがより好ましく、１ｍｍ〜２ｍｍがさらに好ましい。なお、延出部５の突出高さ５Ｈは、図２に示すように、延出部５の先端と第３面２３の間の直線長さをいう。
【００２３】
前記稜線部４を含む第１面２１と第２面２２の交わり部分は、角張っていてもよいし、角取りされていてもよい。好ましくは、前記交わり部分は、角取りされ、より好ましくは、曲面状に角取りされる。図示例では、稜線部４を含む第１面２１と第２面２２の交わり部分は、第１面２１の一方の端部及び第２面２２の一方の端部を曲面状に形成することにより、全体として曲面状に形成されており、その曲面の中央部が稜線部４とされている。図３（ｂ）に示すように、一般に浴室の天井入隅部９３における壁面９１と天井面９２との成す角θは、必ずしも直角とは限らず、９０度よりも若干大きい鈍角又は若干小さい鋭角を成していることが多く、さらには、直角な部分、鈍角な部分及び鋭角な部分が無秩序に存在している場合もある。本発明の浴室天井廻り縁部材１は、第１面２１と第２面２２の交わり部分が曲面状に角取りされていることによって、この角取りされている部分において、第１面２１が壁面９１と接触しつつ、第２面２２が天井面９２と接触し、これに加えて第１突起部３１と第２突起部３２が壁面９１及び天井面９２に接することが相乗して、天井入隅部９３に水や水蒸気が浸入することを効果的に防止できる。また、図３（ｂ）に示すように、角θがある程度の鈍角、例えば９０度を超え１００度の範囲の場合でも、本発明の浴室天井廻り縁部材１は、第２突起部３２及び第２面２２が天井面９２と接触することによって、水分や水蒸気の浸入を防止することができる。
なお、第３面２３と第４面２４の交わり部分は、角張っていてもよいし、角取りされていてもよい。図示例では、第３面２３と第４面２４の交わり部分は、第１面２１と第２面２２の交わり部分と同様に、曲面状に形成されている。第３面２３と第４面２４の交わり部分が曲面状に形成されていることによって、第３面２３に付着した水滴が、交わり部分から第４面２４を経て壁面９１へと順次流れていき、施工された浴室天井廻り縁部材１から水滴が落下することを防止できる。
なお、前記第１面２１と第２面２２の成す角αは、特に限定されないが、好ましくは８０度〜１００度であり、より好ましくは８５度〜９５度であり、さらに好ましくは略９０度である。
【００２４】
本体２の断面視形状は、特に限定されないが、第１面２１の幅２１Ｗが第２面２２の幅２２Ｗよりも大きい略長方形状又は略Ｌ字状であることが好ましい。図示例の本体２の断面視形状は、略長方形部分と、その端部に設けられた略三角形部分（延出部５）と、からなる略Ｌ字状である。なお、第２面２２の幅２２Ｗは、前記略長方形部分の肉厚及び延出部５の突出高さ５Ｈの合計である。
比較的大面積の第１面２１を有する浴室天井廻り縁部材１は、第１面２１にて壁面に強固に接着でき、また、施工後の外観も良好となる。詳しくは、必ずしも直角とは限らない浴室の天井入隅部において、壁面に浴室天井廻り縁部材１を沿わせつつ接着することにより、浴室天井廻り縁部材１を安定的に且つ強固に接着できる上、浴室天井廻り縁部材１を直線的に施工できる。他方、天井面に配置される第２面２２は、その全体を天井面に接着させることは施工上困難であるため、施工時には、第２面２２に対して接着剤の塗布又は粘着テープの貼付けなどの接着処理を行うことなく、第２面２２を天井面に当てつつ天井面に密着させることが好ましい。そして、天井面に接着されない第２面２２の幅２２Ｗが第１面２１の幅２１Ｗよりも大きい又は第１面２１の幅２１Ｗと同等である場合、天井入隅部のうち直角でない領域において第２面２２が天井面から浮き上がりやすくなる。従って、本体２は、第１面２１の幅２１Ｗが第２面２２の幅２２Ｗよりも大きい形状であることが好ましい。
【００２５】
なお、前記断面視形状は、浴室天井廻り縁部材１の長手方向に垂直な平面で切断したときの形状である（図１のＩＩＩ−ＩＩＩ線で切断）。前記第１面２１の幅２１Ｗは、浴室天井廻り縁部材１の長手方向と直交する方向における第１面２１の長さであって、図２に示すように、第１面２１の一方の端から他方の端までの直線長さである。前記第２面２２の幅２２Ｗは、浴室天井廻り縁部材１の長手方向と直交する方向における第２面２２の長さであって、図２に示すように、第２面２２の一方の端から他方の端までの直線長さである。
【００２６】
もっとも、本体２の断面視形状は、第１面２１の幅が第２面２２の幅よりも大きい場合に限られず、第２面２２の幅が第１面２１の幅よりも大きくてもよい（図示せず）。また、本体２は、第１面２１の幅と第２面２２の幅が同じとなる断面視形状に形成されていてもよい。第１面２１の幅と第２面２２の幅が同じとなる形状としては、本体２が、断面視略正方形状に形成されている場合、断面視略く字状に形成されている場合などが挙げられる（図示せず）。
【００２７】
第１面２１の幅２１Ｗと第２面２２の幅２２Ｗの比率は、適宜設定できるが、例えば、「第１面の幅／第２面の幅」は、１．１〜６．７であり、好ましくは、１．５〜４であり、より好ましくは、２〜３．５である。
具体的な数値では、第１面２１の幅２１Ｗは、例えば、８ｍｍ〜２０ｍｍであり、好ましくは、９ｍｍ〜１６ｍｍであり、より好ましくは、１０ｍｍ〜１４ｍｍである。第２面２２の幅２２Ｗは、例えば、３ｍｍ〜７ｍｍであり、好ましくは、４ｍｍ〜６ｍｍであり、より好ましくは、４ｍｍ〜５ｍｍである。第２面２２の幅２２Ｗがあまりに小さすぎると、本体２の剛性が低下して、施工時に浴室天井廻り縁部材１を直線的に取り付け難くなる上、防水効果が低減するおそれがある。
【００２８】
第１突起部３１は、第１面２１の他方の端部から突設されている。第１突起部３１は、先端に向かうに従って次第に幅狭となった断面視略三角形状に形成されている。また、第１突起部３１の基部３１ａは、第１面２１に対して鈍角な傾斜面状又は曲面状とされており、従って、第１突起部３１は、第１面２１に傾斜面又は曲面を成して連設されている。なお、図示例では、第１突起部３１の基部３１ａは、第１面２１に対して傾斜面状とされている。
第１突起部３１の突出高さ３１Ｈは、特に限定されないが、余りに小さすぎると、接着剤又は粘着テープを用いて第１面２１を浴室の壁面に接着した際に、接着剤や粘着テープの端部を十分に隠蔽できないおそれがあり、余りに大きすぎると、第１突起部３１の弾性復元力により、壁面に接着した第１面２１が経時的に壁面から浮き上がるおそれがある。かかる観点から、第１突起部３１の突出高さ３１Ｈは、０．４ｍｍ〜１ｍｍが好ましく、０．５ｍｍ〜０．８ｍｍがより好ましく、０．５ｍｍ〜０．７ｍｍがさらに好ましい。なお、第１突起部３１の突出高さ３１Ｈは、図２に示すように、第１突起部３１の先端と第１面２１の間の直線長さをいう。
また、第１突起部３１の幅３１Ｗは、特に限定されないが、余りに大きすぎると、相対的に第１面２１の平坦な部分の占める割合が小さくなり、壁面に対する接着面積を十分に確保できないおそれがあり、余りに小さすぎると、突起部の機能を十分に奏さないおそれがある。かかる観点から、第１突起部３１の幅３１Ｗは、好ましくは、０．６ｍｍ〜１．８ｍｍであり、より好ましくは、０．７ｍｍ〜１．５ｍｍであり、さらに好ましくは、０．８ｍｍ〜１．２ｍｍである。なお、第１突起部３１の幅３１Ｗは、図２に示すように、第１突起部３１の最大幅をいう。
【００２９】
第２突起部３２は、第２面２２の他方の端部から突設されている。第３面２３から延出部５が突設され且つ第２面２２の他方の端部が第１面２１とは反対側に延出されている本実施形態においては、第２突起部３２は、延出部５の突出方向と略直交する方向に向かって、延出部５から突設されている。
第２突起部３２は、先端に向かうに従って次第に幅狭となった断面視略三角形状に形成されている。また、第２突起部３２の基部３２ａは、第２面２２に対して鈍角な傾斜面状又は曲面状とされており、従って、第２突起部３２は、第２面２２に傾斜面又は曲面を成して連設されている。なお、図示例では、第２突起部３２の基部３２ａは、第２面２２に対して傾斜面状とされている。
第２突起部３２の突出高さ３２Ｈは、特に限定されないが、余りに小さすぎると、天井面に密着せず、天井面との間に隙間を生じるおそれがあり、余りに大きすぎると、天井面に密着した第２突起部３２が波打って施工後の外観が悪くなる。かかる観点から、第２突起部３２の突出高さ３２Ｈは、０．３ｍｍ〜１．５ｍｍが好ましく、０．４ｍｍ〜０．８ｍｍがより好ましく、０．４ｍｍ〜０．６ｍｍがさらに好ましい。なお、第２突起部３２の突出高さ３２Ｈは、図２に示すように、第２突起部３２の先端と第２面２２の間の直線長さをいう。
また、第２突起部３２の幅３２Ｗは、特に限定されないが、余りに大きすぎると、相対的に第２面２２の平坦な部分の占める割合が小さくなり、余りに小さすぎると、突起部の機能を十分に奏さないおそれがある。かかる観点から、第２突起部３２の幅３２Ｗは、好ましくは、０．５ｍｍ〜１．７ｍｍであり、より好ましくは、０．７ｍｍ〜１．５ｍｍであり、さらに好ましくは、０．９ｍｍ〜１．２ｍｍである。なお、第２突起部３２の幅３２Ｗは、図２に示すように、第２突起部３２の最大幅をいう。
【００３０】
本発明の浴室天井廻り縁部材１は、浴室の天井入隅部に取り付けて使用される。
具体的には、浴室天井廻り縁部材１は、浴室の天井入隅部における壁面と天井面に跨がって取り付けられる。
浴室天井廻り縁部材１を天井入隅部に取り付ける施工方法は、まず、浴室天井廻り縁部材１をカッターなどの切断具を用いて適切な長さに切断し、浴室天井廻り縁部材１の第１面２１に、粘着テープを貼付又は接着剤を塗工する。粘着テープは、接着剤に比べて、垂れがなく取り扱いが容易である上、硬化させる必要がないので、施工時間を短縮できる点から、粘着テープを用いることが好ましい。また、第１面２１に、予め粘着テープを貼付しておくことにより、現場での施工時間をより短縮することができる。
次に、浴室天井廻り縁部材１の第２面２２を浴室９の天井面９２に向けて、第２突起部３２を天井面９２に当てつつ位置決めした後、第１面２１を粘着テープ６又は接着剤を介して壁面９１に接着させる。この際、第３面２３側から浴室天井廻り縁部材１を壁面方向及び天井面方向へ押圧することにより、第１面２１が壁面９１に隙間無く接着すると共に、可撓性を有する第１突起部３１及び第２突起部３２が変形し、第２突起部３２が天井面９２に密着し、且つ第１突起部３１が壁面９１に密着する（図４及び図５参照）。また、第２面２２は部分的又は全体的に天井面９２に接する。
例えば、第１突起部３１の突出高さ３１Ｈの０．５倍〜０．８倍の厚みを有する粘着テープを使用すると、第１突起部３１が壁面９１に当たることによって位置決めよりも先に粘着テープが壁面に接着することを防止でき、簡易に位置決めでき且つ位置決め後には壁面方向に押圧すると容易に接着させることができる。例えば、第１突起部３１の突出高さ３１Ｈが０．６ｍｍである場合には、厚み０．４ｍｍの粘着テープを使用することにより、前記のように施工性が向上する。
なお、浴室天井廻り縁部材１を壁面９１に接着させる際には、粘着テープ及び接着剤のいずれか一方を用いればよいが、必要に応じて、粘着テープ及び接着剤を併用してもよい。
【００３１】
前記粘着テープ６は、その両面に粘着剤層を有する両面粘着テープであることが好ましい。粘着テープ６を用いる場合、その厚みが第１突起部３１の突出高さ３１Ｈと同じ又は第１突起部３１の突出高さ３１Ｈよりも小さい粘着テープを用いることが好ましい。かかる厚みの粘着テープ６を用いることにより、第１面２１を壁面９１に接着した際に、壁面９１の不陸に追従して第１突起部３１が適宜変形して第１突起部３１の先端が壁面９１に密着するようになる。
【００３２】
本発明の浴室天井廻り縁部材１は、新築の浴室に使用してもよいし、改修時の浴室に使用してもよい。
例えば、浴室の改修方法として、浴室の天井面及び壁面の上にシートやパネルを貼り付ける方法がある。特に、シートを天井面及び壁面に貼り付ける浴室改修にあたって、本発明の浴室天井回り縁部材１を用いることにより、前記シートの取合い部分の目隠しや防水を容易に行なうことができる。それ故、本発明の浴室天井廻り縁部材１は、浴室改修用として好適に使用できる。
図４及び図５は、このような改修浴室に本発明の浴室天井廻り縁部材１を取り付けた状態を示している。
改修浴室の天井面９２及び壁面９１は、例えば、天井下地面８２及び壁下地面８１に貼り付けられた新品の天井シート材７２及び壁シート材７１の各表面から構成されている。
改修浴室の天井入隅部に浴室天井廻り縁部材１が取り付けられた接続構造は、天井シート材７２によって構成された天井面９２と、壁シート材７１によって構成された壁面９１と、前記天井面９２と壁面９１の間の天井入隅部９３と、を有する浴室９と、前記天井面９２と壁面９１に跨がり且つ天井入隅部９３を隠蔽する浴室天井廻り縁部材１と、を有し、前記浴室天井廻り縁部材１の第１面２１が粘着テープ６及び接着剤の少なくとも何れか一方を介して壁面９１に接着されていると共に、第１突起部３１の一部又は全体が変形して壁面９１に密着し且つ第２突起部３２の一部又は全体が変形して天井面９２に密着している。
なお、特許文献１に記載のように、ユニットバスなどの浴室においては、天井入隅部に凹入部を設け、この凹入部に天井廻り縁部材が挿入されていることがある。このような構造の浴室の改修にあたって、既存の天井廻り縁部材を使用せず、本発明の天井廻り縁部材１を使用することもできる。この場合、必要に応じて、凹入部に樹脂発泡体を挿入して隙間を埋め、シートやパネルなどを改修浴室の壁面や天井面に貼り付けた後、天井入隅部に本発明の浴室天井廻り縁部材１を接着することによって防水処理を施すことができ、その施工も容易である。
【００３３】
本発明の浴室天井廻り縁部材１は、比較的簡易な構造であるため、安価に提供でき、さらに、カッターなどの切断具で容易に切断できるので、容易に施工できる。また、本発明の浴室天井廻り縁部材１は、壁面及び天井面に沿わせて取り付ける構造であるため、汎用性に優れ、比較的短時間で施工を完了できる。さらに、第１突起部３１及び第２突起部３２が適宜変形して壁面及び天井面の不陸を吸収するので、湿度の高い浴室内で結露水が発生し又はシャワーなどの水が直接掛かることがあっても、天井入隅部に水分や水蒸気が侵入することを防止できる。さらに、第１面２１の幅を第２面の幅よりも大きく設定することにより、施工後の浴室天井廻り縁部材１が直線的になり、綺麗な仕上げ外観を有する天井入隅部の接続構造を構築できる。
【００３４】
本発明の浴室天井廻り縁部材は、上記第１実施形態に限られず、本発明の意図する範囲で様々に変更できる。以下、本発明の他の実施形態を説明するが、上記第１実施形態と同様な構成及び効果並びに使用方法については説明を省略し、用語及び符号をそのまま援用する。
【００３５】
［第２実施形態］
上記第１実施形態では、第３面２３は、第１面２１と平行な平坦状に形成されているが、第３面２３が第１面２１に対して傾斜した平坦面状に形成されていてもよい。また、第４面２４についても、第２面２２に対して傾斜した平坦面状に形成されていてもよい。
図６は、第３面２３を第１面２１に対して傾斜させた浴室天井廻り縁部材１を示している。この場合、第３面２３は、第２面２２に対して鋭角を成して傾斜している。この形態の浴室天井廻り縁部材１は、水滴が第３面２３から第４面２４へと伝わり、壁面に円滑に流れるようになるので、好ましい。特に、図示例のように、第３面２３と第４面２４の交わり部分を曲面状に形成することにより、前記効果を顕著に奏し得る。
また、前記第３面２３の傾斜に代えて又は傾斜させた第３面２３に加えて、第４面２４が第１面２１に対して鋭角を成して傾斜するように形成することにより（図示せず）、前記効果をより顕著に奏し得る。
【００３６】
［第３実施形態］
上記第１実施形態では、第１面２１とは反対側に突出する延出部５が設けられているが、例えば、図７に示すように、延出部が設けられていない浴室天井廻り縁部材１でもよい。この形態の浴室天井廻り縁部材１は、延出部が設けられていないので、施工後において、第３面２３と天井面９２との境界に延出部に起因する段差が生じず、天井入隅部において浴室天井廻り縁部材１が強調されない仕上げ外観とすることができる。
【００３７】
［第４実施形態］
上記第１実施形態では、第１突起部３１は、断面視略三角形状に形成されているが、例えば、図８に示すように、略半円弧状に形成されていてもよい。同様に、第２突起部３２も、略半円弧状に形成されていてもよい。このように略半円弧状に形成されている場合にも、第１突起部３１及び第２突起部３２は、先端に向かうに従って次第に幅狭となった形状であるため、第１突起部３１及び第２突起部３２が壁面及び天井面に密着し易い。また、この形態のように略半円弧状に形成することにより、施工後、第１突起部３１と壁面９１との間及び第２突起部３２と天井面９２との間に、それぞれ僅かな段差が生じる。これによって、施工された浴室天井廻り縁部材１に、照明による陰影が生じ、廻り縁部材１を立体的に視認させることができ、天井入隅部の仕上げ外観に意匠的なアクセントを付与できる。
【符号の説明】
【００３８】
１  浴室天井廻り縁部材
２  本体
２１  第１面
２２  第２面
３１  第１突起部
３２  第２突起部
６  粘着テープ
９１  浴室の壁面
９２  浴室の天井面
【図１】
0006483970.tif 000002
【図２】
0006483970.tif 000003
【図３】
0006483970.tif 000004
【図４】
0006483970.tif 000005
【図５】
0006483970.tif 000006
【図６】
0006483970.tif 000007
【図７】
0006483970.tif 000008
【図８】
0006483970.tif 000009